Podtech/llm-jp-corpus-v4-ja_patent huggingface dataset:
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
反応器の内部空間内に相互に平行に配置されかつその端部が管板に溶接されている複数の触媒管（２）を備えており、かつ、反応器の両端に、その都度キャップ空間（４）を区画するキャップ（３）を備えており、その際、流体の反応媒体（５）はキャップ空間（４）を経て触媒管（２）に供給され、触媒管（２）を貫通し、別のキャップ空間（４）を経て排出され、並びに、反応器の１つの端部で熱交換媒体（６）が供給され、触媒管（２）の間の中間の空間を貫流し、かつ反応器の別の端部で排出される熱交換媒体循環部を備えた、触媒系を試験するための反応器（１）において、触媒管（２）が、熱的に相互に隔離された２個以上の触媒管領域（７）内に並んで配置されていることを特徴とする、触媒系を試験するための反応器（１）。
【請求項２】
個々の触媒管領域（７）の間の分離が、触媒管（２）と同一の外径を有するダミー管又は環状の中実な棒（８）を用いて行われている、請求項１記載の反応器（１）。
【請求項３】
１つ以上の触媒管領域（７）内で、それぞれ少なくとも１個の触媒管（２）に、熱電対を組み込むためのシース（９）が備えられており、その他の点では、不活性材料、殊にＡｌ２Ｏ３の堆積物で充填されており、かつ少なくとも１つの端部で閉鎖されている、請求項１又は２記載の反応器（１）。
【請求項４】
１つ以上の触媒管領域（７）内に、試料採取小管及び／又は熱電対を組み込むためのシース（９）を備えたそれぞれ１個以上の触媒管（２）が配置されている、請求項１から３までのいずれか１項記載の反応器（１）。
【請求項５】
個々の触媒管領域（７）内の触媒管（２）が、触媒管の内径及び／又は触媒管の間隔に関して異なる、請求項１から４までのいずれか１項記載の反応器（１）。
【請求項６】
１つ以上の触媒管領域（７）の触媒管（２）のために被覆部が備えられている、請求項１から５までのいずれか１項記載の反応器（１）。
【請求項７】
反応媒体（５）が取り出されるキャップ空間（４）が隔壁（１０）を用いて分割されており、従って反応媒体（５）は個々の触媒管領域（７）から別々に取り出されることができる、請求項１から６までのいずれか１項記載の反応器（１）。
【請求項８】
反応媒体（５）が取り出されるキャップ空間（４）に対して付加的に、又はこのキャップ空間（４）とは別に、反応媒体（５）が供給されるキャップ空間（４）が隔壁（１０）を用いて分割されており、従って反応媒体（５）は各触媒管領域（７）へ別々に供給されることができる、請求項１から７までのいずれか１項記載の反応器（１）。
【請求項９】
熱交換媒体（６）が触媒管（２）の間を導通する中間の空間が、隔壁（１１）により、それぞれ熱交換媒体（６）のための注入部及び排出部を備えた２つ以上、有利に４つのチャンバ（１２）に分割されており、その際、各チャンバ（１２）は１つの触媒管領域（７）に相当する、請求項１から８までのいずれか１項記載の反応器（１）。
【請求項１０】
有利にそれぞれ環状導管を介して、熱交換媒体（６）が反応器（１）の上方領域内の触媒管（２）間の中間の空間へ供給され、かつ熱交換媒体（６）が反応器（１）の下方領域から排出され、その際、反応器（１）の下方領域からポンプ（１３）を用いて取り出された熱交換媒体（６）が、ポンプ導管（１４）を包囲するケーシング（１５）中に流入し、ケーシング（１５）の内壁とポンプ導管（１４）の外壁との間の領域内で、場合により熱交換器（１８）を経て上方へ流動し、ポンプ導管（１４）の上方領域内の開口部（１６）を経てポンプ導管（１４）の内部空間へ流入し、この内部空間を上方から下方へ貫流し、ポンプ導管（１４）の下方領域内の開口部（１７）を経てケーシング（１５）の内壁とポンプ導管（１４）の外壁との間のもう１つの中間の空間へ流入し、この中間の空間を下方から上方へ貫流し、かつこの中間の空間の上方領域内の開口部を経て触媒管（２）の間の中間の空間の上方領域へ流入する、垂直な縦軸を有する請求項１から９までのいずれか１項記載の反応器（１）。
【請求項１１】
ケーシング（１５）が長方形の横断面を有する、請求項１０記載の反応器（１）。
【請求項１２】
ケーシング（１５）が円形の横断面を有する、請求項１０記載の反応器（１）。
【請求項１３】
請求項１から１２までのいずれか１項記載の反応器（１）を用いた触媒系の試験法において、活性材料及び／又は触媒担体、殊に触媒担体の材料及び／又は形状及び／又は粒径に関して異なる触媒系を、異なる触媒管領域（７）内で試験することを特徴とする、請求項１から１２までのいずれか１項記載の反応器（１）を用いた触媒系の試験法。
【請求項１４】
反応媒体（５）及び熱交換媒体（６）を並流で搬送する、請求項１３記載の触媒系の試験法。
【請求項１５】
個々のチャンバ（１２）内の熱交換媒体（６）のパラメータ、殊に反応媒体（５）に対する熱交換媒体（６）の流動方向、温度及び／又は熱交換媒体（６）の体積流量をそれぞれ別々に設定する、請求項９記載の反応器（１）を使用した触媒系の試験法。
【請求項１６】
反応媒体（５）を、この反応媒体（５）をキャップ空間（４）の相応する領域を経て触媒管領域（７）から取り出した後に、場合により、出発材料の中間供給及び／又は中間冷却下に、キャップ空間（４）の相応する部分を経て直接もう１つの触媒管領域（７）へ供給する、請求項１３から１５までのいずれか１項記載の方法。
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
液体交換装置において、
灌注液リザーバから灌注ルーメンを介して制御された量の灌注液を供給する灌注液供給手段と、
吸引ルーメンから吸引液リザーバへ制御された量の吸引液を回収する吸引液回収手段とを備え、
制御された量の灌注液を供給する前記灌注液供給手段と、制御された量の吸引液を回収する前記吸引液回収手段との各々が、夫々にルーメンに連通しており、それらルーメンは身体内の液体交換対象部位と共に実質的に閉じたループを形成している、
ことを特徴とする液体交換装置。
【請求項２】
制御された量の灌注液を供給する前記灌注液供給手段が、灌注液を押し出すピストンに連結された第１部材と、吸引液を吸い込むピストンに連結された第２部材とを備えていることを特徴とする請求項１に記載の装置。
【請求項３】
前記第１部材が、吸引液を吸い込む前記ピストンを収容しているシリンダ本体に連結されていることを特徴とする請求項２に記載の装置。
【請求項４】
前記第２部材が、灌注液を押し出す前記ピストンを収容しているシリンダ本体に連結されていることを特徴とする請求項２に記載の装置。
【請求項５】
制御された量の灌注液を供給する前記灌注液供給手段と、制御された量の吸引液を回収する前記吸引液回収手段とが、手で握って圧縮する圧搾可能な球の内部に収容されており、該圧搾可能な球が更に、液密構造の膜体を備えていることを特徴とする請求項１に記載の装置。
【請求項６】
前記圧搾可能な球の内部に、灌注液を貯留する灌注液リザーバが画成されていることを特徴とする請求項５に記載の装置。
【請求項７】
一方向弁を介して前記圧搾可能な球に接続された灌注ルーメン及び吸引ルーメンを更に備えたことを特徴とする請求項５に記載の装置。
【請求項８】
制御された量の灌注液を供給する前記灌注液供給手段が、灌注チャンバと吸引チャンバとを備えており、それら灌注チャンバと吸引チャンバの各々が、一方向弁を備えた流入路と一方向弁を備えた流出路とを備えていることを特徴とする請求項５に記載の装置。
【請求項９】
制御された量の灌注液を供給する前記灌注液供給手段が、単一のハウジングを備えており、該単一のハウジングの内部が仕切られて灌注液リザーバと吸引液リザーバとが画成されており、前記灌注液供給手段が更に、前記灌注液リザーバと前記吸引液リザーバとの間に配設された単一のピストンを備えていることを特徴とする請求項５に記載の装置。
【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
マニホールドと、フィルタカートリッジと、鉛直軸を有するボールとを含む濾過モジュールであって、前記マニホールドは、外面上に形成された一連のねじ山を有し、前記ボールは、前記マニホールドのねじ山と係合する内面上のねじ山を備えたリングを有し、前記リングは、前記ボールに対して回転可能であり、前記ボールの鉛直軸上に実質的に固定された位置を維持するように前記ボールに固定され、少なくとも一つのフランジを有する前記フィルタカートリッジは、前記ボール内に含まれ、前記少なくとも一つのフランジが前記ボールに固定された保持リングに確動的に固定されて一体構造を形成することにより、前記フィルタカートリッジは、前記リングが回転されたとき、前記ボールとともに前記マニホールド内へ、または前記マニホールドから移動し、前記フィルタカートリッジとボールは、前記フィルタカートリッジへの供給流体と、前記フィルタカートリッジから取り除かれた透過物とが混合しないように、前記マニホールドと流体連通にされる、濾過モジュール。
【請求項２】
鉛直軸を有するマニホールドと、フィルタカートリッジと、ボールとを含むフィルタハウジングモジュールであって、前記ボールは、外面上に形成された一連のねじ山を有し、前記マニホールドは、前記ボールのねじ山と係合する内面上のねじ山を備えたリングを有し、前記リングは、前記マニホールドに対して回転可能であり、前記マニホールドの鉛直軸上に実質的に固定された位置を維持するように前記マニホールドに固定され、少なくとも一つのフランジを有する前記フィルタカートリッジは、前記ボール内に含まれ、前記少なくとも一つのフランジが前記ボールに固定された保持リングに確動的に固定されて一体構造を形成することにより、前記フィルタカートリッジは、前記リングが回転されたとき、前記ボールとともに前記マニホールド内へ、または前記マニホールドから移動し、前記フィルタカートリッジとボールは、前記フィルタカートリッジへの供給流体と、前記フィルタカートリッジから取り除かれた透過物とが混合しないように、前記マニホールドと流体連通にされる、フィルタハウジングモジュール。
【請求項３】
前記ボールへの供給流体用の入口と、前記フィルタカートリッジからの透過物用の出口とを含む、請求項１に記載の濾過モジュール。
【請求項４】
前記フィルタカートリッジへの供給流体用の入口と、前記ボールからの透過物用の出口とを含む、請求項１に記載の濾過モジュール。
【請求項５】
前記ボールへの供給流体用の入口と、前記フィルタカートリッジからの透過物用の出口とを含む、請求項２に記載の濾過モジュール。
【請求項６】
前記フィルタカートリッジへの供給流体用の入口と、前記ボールからの透過物用の出口とを含む、請求項２に記載の濾過モジュール。
【請求項７】
前記フィルタカートリッジは、フラットシート薄膜、スパイラル型フラットシート薄膜、プリーツ型フラットシート薄膜、スパイラルプリーツ型フラットシート薄膜、中空糸薄膜、デプスフィルタ媒体、活性捕捉材料を含む微粒子媒体、イオン交換媒体、およびそれらの組み合わせからなる群から選択される１つ以上の濾過媒体を含む、請求項１または２に記載の濾過モジュール。
【誤訳訂正書】
【提出日】平成17年7月19日(2005.7.19)
【誤訳訂正１】
【訂正対象書類名】特許請求の範囲
【訂正対象項目名】請求項１３
【訂正方法】変更
【訂正の内容】
【請求項１３】
前記固体粒子がジルコニウムからなる、請求項１〜１２のいずれか１項に記載の方法。
【誤訳訂正２】
【訂正対象書類名】特許請求の範囲
【訂正対象項目名】請求項１４
【訂正方法】変更
【訂正の内容】
【請求項１４】
前記固体粒子がシリカからなる、請求項１〜１２のいずれか１項に記載の方法。
【誤訳訂正３】
【訂正対象書類名】特許請求の範囲
【訂正対象項目名】請求項３０
【訂正方法】変更
【訂正の内容】
【請求項３０】
前記固体粒子がジルコニウムからなる、請求項２６〜２９のいずれか１項に記載の製品。
【誤訳訂正４】
【訂正対象書類名】特許請求の範囲
【訂正対象項目名】請求項３１
【訂正方法】変更
【訂正の内容】
【請求項３１】
前記固体粒子がシリカからなる、請求項２６〜２９のいずれか１項に記載の製品。
【誤訳訂正５】
【訂正対象書類名】特許請求の範囲
【訂正対象項目名】請求項３２
【訂正方法】変更
【訂正の内容】
【請求項３２】
体積１０μＬ〜５００μＬの試料と共に使用される、０．０２ｇ〜０．２ｇの前記固体粒子を含んで成る、請求項２６〜２９のいずれか１項に記載の製品。
【誤訳訂正６】
【訂正対象書類名】明細書
【訂正対象項目名】００８４
【訂正方法】変更
【訂正の内容】
【００８４】
実施例８：
臨床試料からのヒトＤＮＡを抽出をするためのＲＵＣＬＡＮＡＰ。  我々の目標は微生物由来のＤＮＡを検出することだが、ヒトＤＮＡをも実施例３〜７，１１，１２，１５及び１７に記載の臨床試料から抽出している。例えば、β−グロブリン遺伝子に対して特異的なプライマー（Swanら、1999, J. Clin. Microbiol. vol. 37: pp. 1030-1034）を用いて、我々は、実施例１２に記載のように、ＲＵＣＬＡＮＡＰによる処理をした直腸スワブ中においての１〜１０4コピーのこのヒト遺伝子標的を検出できうる。
【誤訳訂正７】
【訂正対象書類名】明細書
【訂正対象項目名】０１０３
【訂正方法】変更
【訂正の内容】
【０１０３】
体積５０μLの、ストレプトコッカス・アガラクチアエＡＴＣＣ１３８１３の中間対数期培養物の連続１０倍希釈物を様々なビーズの混合物に対して添加した。ミクロチューブをFisher scientificのGenie２型ボルテックスによりスピードレベル７で５分に渡りボルテックス掛けした。素速い遠心回転後、ミクロチューブを９５℃で２分に渡り加熱した。次いで、１．５μＬの混合物をＰＣＲ反応で直接用いた。そのＰＣＲ反応は実施例５に記載した。
【誤訳訂正８】
【訂正対象書類名】明細書
【訂正対象項目名】０１２９
【訂正方法】変更
【訂正の内容】
【０１２９】
未溶解細胞懸濁は３．５×１０4CFU／μＬと計測された。ネガティブコントロール（ビーズなし）の検出限界は３５０CFU／ＰＣＲ反応であった。対照的に、ＲＵＣＬＡＮＡＰ処理（ガラスビーズ又はジルコニア／シリカビーズの万能混合物のいずれかを用いて）したＳ．アウレウス細胞の検出限界は、３．５CFU／ＰＣＲ反応であった。スタフィロコッカスの細胞をＲＵＣＬＡＮＡＰ処理することで、核酸検出を１００倍以上向上せしめることができ、そして、異なる種類及びサイズのビーズと適合されて良い。
【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
医療装置上に拡散制御性コーティングを形成する方法であって、
医療装置に
（１）一つの粘土層を塗布する、又は
（２）第一の高分子イオン材料の層と、第一の高分子イオン材料の電荷とは反対の電荷を有する第二の高分子イオン材料の層とを交互に塗布し、
コーティングされた医療装置を、医療装置上の拡散制御性コーティングに所望の透過性を付与することができる組成を有する放出媒体中に放出すること
を含む方法。
【請求項２】
一つの粘土層を塗布することを含む、請求項１記載の方法。
【請求項３】
粘土がモンモリロナイトである、請求項２記載の方法。
【請求項４】
一以上の高分子イオン材料の層を塗布することをさらに含む、請求項２又は３記載の方法。
【請求項５】
第一の高分子イオン材料の層と、第一の高分子イオン材料の電荷とは反対の電荷を有する第二の高分子イオン材料の層とを交互に医療装置に塗布し、コーティングされた医療装置を、医療装置上の拡散制御性コーティングに所望の透過性を付与することができる組成を有する放出媒体中に放出することを含む、請求項１記載の方法。
【請求項６】
前記医療装置を第一の高分子イオン材料の第一の溶液に浸漬する又は前記医療装置に第一の高分子イオン材料の第二の溶液を吹き付けることによって第一の高分子イオン材料の層を医療装置に塗布し、前記医療装置を第二の高分子イオン材料の第一の溶液に浸漬する又は前記医療装置に第二の高分子イオン材料の第二の溶液を吹き付けることによって第二の高分子イオン材料の層を医療装置に塗布する、請求項５記載の方法。
【請求項７】
前記第一の高分子イオン材料が、比較的低い分子量を有する弱い多酸であり、第一の高分子イオン材料の第一及び第二の溶液が１．５〜８．５のｐＨを有し、前記第二の高分子イオン材料が、比較的低い分子量を有する弱い多塩基であり、第二の高分子イオン材料の第一及び第二の溶液が１．５〜８．５のｐＨを有する、請求項６記載の方法。
【請求項８】
前記放出媒体が水又はリン酸緩衝剤である、請求項５〜７のいずれか１項記載の方法。
【請求項９】
第一の高分子イオン材料及び第二の高分子イオン材料をモル電荷比が３：１〜１００：１になるような量で含有する溶液に前記医療装置を浸漬することにより、第一及び第二の高分子イオン材料の層を形成する、請求項５〜８のいずれか１項記載の方法。
【請求項１０】
前記溶液の前記モル電荷比が１０：１である、請求項９記載の方法。
【請求項１１】
前記医療装置が眼科用装置、特にコンタクトレンズである、請求項１〜１０のいずれか１項記載の方法。
【請求項１２】
拡散制御性コーティングを有する医療装置であって、前記拡散制御性コーティングが、請求項２記載の方法を使用して前記医療装置上に形成されたものである医療装置。
【請求項１３】
拡散制御性コーティングを有する医療装置であって、前記拡散制御性コーティングが、請求項６記載の方法を使用して前記医療装置上に形成されたものである医療装置。
【請求項１４】
前記拡散制御性コーティングが第一及び第二の高分子イオン材料それぞれ２〜１０層を含む、請求項１３記載の医療装置。
【請求項１５】
前記拡散制御性コーティングが稠密であり、低い透過性を有し、前記低い透過性が、前記医療装置によるローズベンガルの無視しうる程度の吸収を示すことを特徴とする、請求項１３記載の医療装置。
【請求項１６】
前記拡散制御性コーティングが緩く、高い透過性を有し、前記高い透過性が、前記医療装置によるローズベンガルの顕著な吸収を示すことを特徴とする、請求項１３記載の医療装置。
【請求項１７】
前記医療装置が眼科用レンズ、特にコンタクトレンズである、請求項１２〜１６のいずれか１項記載の医療装置。
【請求項１８】
抽出工程なしで眼科用レンズを製造する方法であって、
（１）型の中での成形によって眼科用レンズを製造することと、
（２）工程（１）で製造した眼科用レンズの上に、請求項１〜１０のいずれか１項記載の方法によって拡散制御性コーティングを形成することと
を含む方法。
【手続補正２】
【補正対象書類名】明細書
【補正対象項目名】００２８
【補正方法】変更
【補正の内容】
【００２８】
あるいはまた、本発明の拡散制御性コーティングは、少なくとも一つの第一の高分子イオン材料の層と、第一の高分子イオン材料の電荷とは反対の電荷を有する少なくとも一つの第二の高分子イオン材料の層とを含む。本発明の拡散制御性コーティングは、好ましくは、第一及び第二の高分子イオン材料それぞれ２〜３０層、より好ましくは、第一及び第二の高分子イオン材料それぞれ２〜１５層、さらに好ましくは、第一及び第二の高分子イオン材料それぞれ２〜６層を含む。例えば、第一及び第二の高分子イオン材料それぞれ２〜１０層を含むことができる。
【手続補正書】
【提出日】平成17年6月1日(2005.6.1)
【手続補正１】
【補正対象書類名】特許請求の範囲
【補正対象項目名】請求項４
【補正方法】変更
【補正の内容】
【請求項４】
発泡可能な消火剤が耐アルコール性でないフッ素系界面活性剤ベースの発泡可能な消火剤である、請求項２に記載の消火性フォーム濃縮物。
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
２つの隣接する管腔の管腔界面に配置されるようになっている、管腔又は中空内臓を接合するための吻合装置であって、
縦方向に間隔を置いた端部を備え、重なり合ったワイヤメッシュデザインを有し、塞がれていない外部及び内部を有する織ワイヤチューブ、
を含み、
該チューブは、該チューブの長さを大きくして直径を小さくするように縦方向に伸張可能であり、
該チューブはまた、該織ワイヤチューブの前記縦方向に間隔を置いた端部の各々において円周方向に間隔を置いた外側ループを有する熱形状記憶合金から構成され、２つの隣接する管腔の壁の穴の中に挿入された後に、熱が、前記チューブの直径を大きくして縦方向に収縮させ、該チューブが軸線方向に圧縮されて扁平になり、該チューブの前記外側ループが変形させられて裏返しになり、
配置された位置にある該チューブの前記ループは、織ワイヤチューブの外面及び内面に妨害物のない状態で、熱的に変形して裏返り、互いに直接向き合うか又は噛み合わされた形態の花弁を形成して、前記２つの隣接する管腔の壁を並置した状態に圧縮して保持し、該２つの隣接する管腔間の前記穴が拡大されて該２つの隣接する管腔の外側への流出及び漏れが生じるのを配置された位置にある織ワイヤチューブのみによって防止するのに十分な力が前記２つの隣接する管腔の壁に加えられるようになった、
ことを特徴とする装置。
【請求項２】
前記熱形状記憶合金は、チタン／ニッケル合金であることを特徴とする請求項１に記載の装置。
【請求項３】
前記向き合う花弁は、互いに噛み合わされることを特徴とする請求項１に記載の装置。
【請求項４】
流線形端部を有する吻合具送り装置であって、
縦方向に間隔を置いた端部を備え、重なり合ったワイヤメッシュデザインを有し、塞がれていない外部及び内部を有し、該縦方向に間隔を置いた端部の各々に周方向に間隔を置いた外側ループを有する織ワイヤチューブと、
カニューラと、
を備え、
前記カニューラは、該チューブをカニューラ上で摺動させて縦方向に引き、該チューブの長さを大きくして直径を小さくさせるように設計された端部を有し、
前記チューブ上を前記装置の前記流線形端部まで押され、それによって身体の管腔界面において２つの隣接する管腔の壁を通して挿入するための滑らかな表面をもたらし、その後引き込まれるようになっている外側スリーブと、
先端を有し、最初は前記カニューラ内に引き込まれており、前記管腔の壁を通して装置を通す時に前記先端において露出されて、前記２つの隣接する管腔の壁に外科医を補助するための穴を生成するようになっているワイヤと、
が設けられ、
前記チューブは熱形状記憶合金から構成され、前記スリーブが引き込まれた時に、身体からの熱が、該チューブの直径を大きくして縦方向に収縮させ、該チューブが軸線方向に圧縮されて扁平になり、織ワイヤチューブの外面及び内面に妨害物のない状態で、該チューブの前記外側ループが変形して裏返しになり、互いに直接向き合うか又は噛み合わされた形態の花弁を形成して、前記２つの隣接する管腔の壁を並置した状態に圧縮して保持し、該２つの隣接する管腔間の前記穴が拡大されて該２つの隣接する管腔の外側への流出及び漏れが生じるのを配置された位置にある織ワイヤチューブのみによって防止するのに十分な力が前記２つの隣接する管腔の壁に加えられるようにする、
ことを特徴とする、吻合具送り装置。
【請求項５】
前記熱形状記憶合金は、チタン／ニッケル合金であることを特徴とする請求項４に記載の装置。
【請求項６】
前記向き合う花弁は、互いに噛み合わされることを特徴とする請求項４に記載の装置。
【請求項７】
前記流線形端部は、前記織ワイヤチューブの前記縦方向に間隔を置いた端部の両方を体温に露出させるために前記引込み式スリーブが引き込まれる時に、該引込み式スリーブと反対の方向に移動可能であることを特徴とする請求項４に記載の装置。
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
角膜と、瞳孔と、水晶体と、網膜とを含んでいる眼球の白内障を画像化するための装置において、
光源と、
前記光源から前記眼球までの第１光路と、
前記光源により放射された光を受け取り、それを眼球内に、そして網膜上へと向けるように、前記第１光路内に配置されているビーム成形光学系と、
前記光源を出て網膜に反射された光の一部を受けるために、前記眼球からの第２光路内に配置されている光学センサと、
前記白内障が前記光学センサ上に結像するように、前記第２光路内の前記眼球と前記光学センサの間の位置に配置されている画像化光学系と、
前記眼球の画像を表示するために、前記光学センサと通信している表示装置と、を備えており、
前記光源は十分に小さく、前記ビーム成形光学系は、前記ビーム成形光学系レンズを通過する光が前記網膜上の大きさが0.05から0.3ミリメートルのスポットを照らすように、十分に長い焦点距離を有している、装置。
【請求項２】
前記光源は、大きさが約0.05から１ミリメートルの間にある、請求項１に記載の装置。
【請求項３】
前記ビーム成形光学系は、約15から50ミリメートルの間の焦点距離を有している、請求項１に記載の装置。
【請求項４】
前記画像化光学系は、瞳孔入射側(entrance pupil)の直径が前記瞳孔にほぼ等しい、請求項１に記載の装置。
【請求項５】
前記画像化光学系は、開口部直径が（ミリメートル単位で）、以下の式により求められた値の±１０％以内にあり、
Ｐ．Ｄ．＋（Ｄ×Ｓ）／１７
ここに、Ｐ．Ｄ．は眼球の瞳孔の直径であり、Ｄは前記眼球から前記開口部までの光路長であり、Ｓは前記網膜上に形成される前記スポットの大きさである、請求項１に記載の装置。
【請求項６】
前記画像化光学系は、瞳孔入射側の直径が約10から30ミリメートルの間にある、請求項１に記載の装置。
【請求項７】
前記眼球から前記画像化光学系までの、約100から400ミリメートルの間にある光路長を含んでいる、請求項１に記載の装置。
【請求項８】
前記光源は、実質的に人間の目には見えない光で構成された光を放射する、請求項１に記載の装置。
【請求項９】
前記光源は、赤外線光を放射する、請求項８に記載の装置。
【請求項１０】
前記光源は、発光ダイオード（ＬＥＤ）を備えている、請求項１に記載の装置。
【請求項１１】
前記光源は、赤外線発光ダイオードを備えている、請求項１０に記載の装置。
【請求項１２】
前記表示装置は、ビデオモニターを備えている、請求項１に記載の装置。
【請求項１３】
前記表示装置は、コンピュータ画面を備えている、請求項１に記載の装置。
【請求項１４】
前記光源と、前記ビーム成形光学系と、前記光学センサと、前記画像化光学系とは、前記表示装置から分離され、前記表示装置に対し移動可能である光学組立体内に含まれている、請求項１に記載の装置。
【請求項１５】
前記組立体は、重量が約113グラム（1/4ポンド）から約907グラム（２ポンド）の間にある、請求項１４に記載の装置。
【請求項１６】
前記第１及び第２光路内にビームスプリッタを更に備えている、請求項１に記載の装置。
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
実質的に酸素透過性の非バリア部分を含む第１の包装を供給する工程と、
該第１の包装内に小売り用カット生肉を置く工程と、
該第１の包装を密封する工程と、
実質的に酸素不透過性の第２の包装を供給する工程と、
該第１の包装と該第２の包装との間にポケットを作るように、該第２の包装を密封することなく、該第２の包装で該第１の包装を覆う工程と、
該生肉の表面にカルボキシミオグロビンを形成するように、約０．０１〜約０．８vol%の一酸化炭素と、低酸素雰囲気を形成する少なくとも１種の他のガスと、を含むガス混合物を該ポケット内に供給する工程と、
該生肉の表面でのメトミオグロビンの形成を阻害若しくは防止するように該ポケット内の酸素レベルを十分に減少させるため、該ポケットから酸素を除去する工程と、
該第２のポケットを密封する工程と、
を含む鮮度保持包装の製造方法。
【請求項２】
実質的に酸素透過性である非バリア部分を含む第１の包装を供給する工程と、
該第１の包装内に小売り用カット生肉を置く工程と、
該第１の包装を密封する工程と、
実質的に酸素不透過性である第２の包装を供給する工程と、
該第１の包装と該第２の包装との間にポケットを作るように、該第２の包装を密封することなく、該第２の包装で該第１の包装を覆う工程と、
該生肉の表面上でオキシミオグロビンを直接カルボキシミオグロビンに実質的に変換するように、該ポケットに、約０．０１〜約０．８vol%の一酸化炭素と、低酸素雰囲気を形成する少なくとも１種の他のガスと、を含むガス混合物を供給する工程と、
該生肉の表面上でのメトミオグロビンの形成を阻害若しくは防止するように、該ポケット内の酸素レベルを十分に減少させるために、該ポケットから酸素を除去する工程と、
該第２の包装を密封する工程と、
を含む鮮度保持包装の製造方法。
【請求項３】
包装と、実質的に酸素透過性である少なくとも一部を有する第１の層と、実質的に酸素不透過性である第２の層と、を供給する工程と、
該包装内に小売り用カット生肉を置く工程と、
該生肉の表面上にカルボキシミオグロビンを形成させるように、該包装内に、約０．０１〜約０．８vol%の一酸化炭素と、低酸素雰囲気を形成する少なくとも１種の他のガスと、を含むガス混合物を供給する工程と、
該生肉の表面上でのメトミオグロビンの形成を阻害もしくは防止するように該包装内の酸素レベルを十分に減少させるために、該包装内の酸素を除去する工程と、
該第１の層を該包装に対して封止する工程と、
該第２の層を該包装及び該第１の層の少なくとも一方に対して封止する工程と、
を含む鮮度保持包装の製造方法。
【請求項４】
さらに、脱酸素剤を供給する工程を含む、請求項１〜３のいずれか１項に記載の方法。
【請求項５】
前記ポケットの酸素レベルは、１，０００ｐｐｍ未満である、請求項１〜３のいずれか１項に記載の方法。
【請求項６】
前記生肉を大気雰囲気に暴露させて、前記生肉が同一の新鮮なカット生肉と同様の変色を有するように、前記第１の包装から前記第２の包装を取り除く工程をさらに含む、請求項１〜３のいずれか１項に記載の方法。
【請求項７】
前記第２の包装は、前記第１の包装を破壊することなく、第１の包装の少なくとも一部から取り外し可能であるようになされている、請求項１〜３のいずれか１項に記載の方法。
【請求項８】
前記ガス混合物は、約０．１〜約０．８vol%の一酸化炭素を含む、請求項１〜３のいずれか1項に記載の方法。
【請求項９】
実質的に酸素透過性である非バリア部分を含み、小売り用カット生肉を完全に包囲する形状及び寸法となされている第１の包装と、
実質的に酸素不透過性である第２の包装と、を含み、
該第２の包装は、該第１の包装と第２の包装との間にポケットを作るように該第１の包装を覆うようになされており、該ポケットは、該生肉の表面上にカルボキシミオグロビンを形成させるように、約０．０１〜約０．８vol%の一酸化炭素と、低酸素雰囲気を形成する少なくとも１種の他のガスと、を含むガス混合物を有する、
鮮度保持包装。
【請求項１０】
仕切部材によって分離されている第１及び第２の区画を含む鮮度保持包装であって、
該仕切部材は、実質的に酸素透過性である非バリア部分を含み、
該第１及び第２の区画は、実質的に酸素不透過性の外壁によって包囲されており、
該第２の区画は、小売り用カット生肉を完全に包囲するような形状及び寸法とされており、
該第１の区画は、該生肉の表面上でカルボキシミオグロビンを形成するように、約０．０１〜約０．８vol%の一酸化炭素と、低酸素雰囲気を形成する少なくとも１種の他のガスと、を含むガス混合物を含む、
鮮度保持包装。
【請求項１１】
小売り用カット生肉を完全に包囲する形状及び寸法となされていて、該生肉の表面上にカルボキシミオグロビンを形成するように、約０．０１〜約０．８vol%の一酸化炭素と、低酸素雰囲気を形成する少なくとも１種の他のガスと、を含むガス混合物を有する包装と、
実質的に酸素透過性である少なくとも一部を有し、該包装に対して封止されている第１の層と、
実質的に酸素不透過性であり、該包装及び該第１の層の少なくとも一方に対して封止されている第２の層と、
を含む鮮度保持包装。
【請求項１２】
前記ガス混合物は、約０．１〜約０．８vol%の一酸化炭素を含む請求項９〜１１のいずれか１項に記載の包装。
【手続補正書】
【提出日】平成17年5月25日(2005.5.25)
【手続補正１】
【補正対象書類名】明細書
【補正対象項目名】００３８
【補正方法】変更
【補正の内容】
【００３８】
ヒトMCKプロモーター(上流496から下流37)は増幅するのが困難であることが判明した、その結果、プロモーターを3段階で作製した。第一段階として、485塩基対の産物を増幅するために、プライマー対MCK S7-MCK S11を使用した。第二段階として、189塩基対の産物を増幅するために、プライマー対MCK S9-MCK S12を使用した。第三段階として、533塩基対のプロモーターを増幅するために、MCK S11-MCK S12プライマーを用いて2つの産物を連結した。
2004535801.tif 000001
MCKプロモーターの配列は、配列番号:18に示されている。
【手続補正２】
【補正対象書類名】明細書
【補正対象項目名】００４１
【補正方法】変更
【補正の内容】
【００４１】
ウズラでは、TnIプロモーター(TNNI2)は、上流530と下流60nt以内に位置している。ヒトでは、プロモーター配列は、上流146と下流19nt以内に位置している。TNI2プロモーターの配列は、配列番号:24に示されている。ヒトTNI2プロモーターを、以下のプライマーを用いて増幅した:
2004535801.tif 000002
【手続補正３】
【補正対象書類名】明細書
【補正対象項目名】配列表
【補正方法】追加
【補正の内容】
【配列表】
2004535801000001.app
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
ボックス部(１３)と、ボックス後部壁(１７)の領域において前記ボックス部に関してピボットすることができる蓋(１４)とを形成する薄いカードボードまたは同様な包装材製のブランクを含むシガレット(１０)またはその他の細長い物品のためのヒンジ蓋付きボックスであって、前記ボックス部(１３)は、ボックスの前部壁(１６)と、ボックスの後部壁(１７)と、ベース壁(２０)と、２つの互いに反対側にあるボックスの側部壁(１８、１９)とを含み、前記蓋(１４)は、蓋の前部壁(２１)と、蓋の後部壁(２２)と、端部壁(２５)と、閉じた位置ではボックスの両側部壁(１８，１９)と接する蓋の両側部壁(２３，２４)とを含み、
ボックスの側部壁(１８，１９)の一方と、したがって、関連する蓋の側部壁(２３，２４)の一方とが、互いに対して(鈍)角を形成する２つの壁セクション(２９，３０)を含む点を特徴とするヒンジ蓋付きボックス。
【請求項２】
側部壁(１８，１９；２３，２４)の２つの壁セクション(２９，３０)は、側部壁(１８，１９；２３，２４)が同じ幅を有し、側部壁(１８，１９；２３，２４)が、断面においては屋根状の態様をなして対称であり、パックの想像上の中央横断方向面に沿う中央縁部(３５)または中央円形部(５１)を備えるように設計されている点を特徴とする請求項１記載のヒンジ蓋付きボックス。
【請求項３】
側部壁(１８，１９；２３，２４)の少なくとも中央縁部(３５)は、シガレットの寸法に適応して、中央円形部(５１)が形成されるように、円形である点を特徴とする請求項１または２記載のヒンジ蓋付きボックス。
【請求項４】
側部壁(１８，１９；２３，２４)の中央縁部、および/または、側部壁(１８，１９；２３，２４)とボックスの前部壁(１６)またはボックスの後部壁(１７)との間の遷移部、および、側部壁(１８，１９；２３，２４)と蓋の前部壁(２１)または蓋の後部壁(２２)との間の遷移部としてのパック縁部(５２，５３)が、シガレット(１０)の形状に適応するコーナーの円形部(５６，５７)が形成された円形を呈する点を特徴とする請求項１〜３のいずれか１記載のヒンジ蓋付きボックス。
【請求項５】
ベース壁(２０)と端部壁(２５)は、ヒンジ蓋付きボックスの断面形状に適応しており、ボックスの側部壁(１８，１９)の領域と蓋の側部壁(２３，２４)の領域においては、特に、円形部を備える屋根状または楔状の突起を形成する点、および、
ベース壁(２０)と端部壁(２５)は、形状がフィットする態様で側部壁(１８，１９；２３，２４)に接する点、
を特徴とする請求項１〜４のいずれか１記載のヒンジ蓋付きボックス。
【請求項６】
ボックスの側部壁(１８，１９)および蓋の側部壁(２３，２４)は、それぞれ部分的に重なる外側の側部タブ(３１)と蓋の側部タブ(３３)、および、内側の側部タブ(３２)と蓋の側部タブ(３４)とから形成されており、内側の側部タブ(３２，３４)は、関係する側部壁(１８，１９；２３，２４)の関連する壁セクション(２９，３０)の領域においてのみ延出する点を特徴とする請求項１〜５のいずれか１記載のヒンジ蓋付きボックス。
【請求項７】
側部壁(１８，１９；２３，２４)が中央の縁部を備えて形成されるとき、内側の側部タブ(３２，３４)は、中央縁部(３５)まで延出し、中央縁部に沿って一致する点を特徴とする請求項６記載のヒンジ蓋付きボックス。
【請求項８】
中央円形部(５１)を備える側部壁(１８，１９；２３，２４)の場合には、内側の側部タブ(３２，３４)は、中央円形部(５１)の境界領域の範囲内において、関連する壁セクション(２９，３０)の領域内に延出するだけである点を特徴とする請求項６記載のヒンジ蓋付きボックス。
【請求項９】
コーナーのタブ、すなわち、ベースのコーナータブ(３９)および/または蓋のコーナータブ(４０)は、内側の側部タブ(３２)および蓋の側部タブ(３４)にのみ接続され、前記両コーナータブは、斜めの打ち抜きカット部(４１)によって、ベース壁(２０)および端部壁(２５)から分割されて、隣接するベース壁(２０)および端部壁(２５)の形状にそれぞれ対応する台形の形状を備えるコーナータブ(３９，４０)を作り出す点を特徴とする請求項１〜８のいずれか1記載のヒンジ蓋付きボックス。
【請求項１０】
収容されるパックの内容物は、シガレットの３つの列(４３，４４，４５)を含むシガレットのグループの形態をなし、シガレットの層は列毎にオフセットされており、中央のシガレット(１０)の列(４４)は、両隣の外側列(４３，４５)よりも本数が１だけ多い点を特徴とする請求項１〜９のいずれか１記載のヒンジ蓋付きボックス。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
通信システムにおける方法であって、
第１のページングチャンネル上で複数の第１の同報通信ページ時間スロットを、および第２のページングチャンネル上で複数の第２の同報通信ページ時間スロットを伝送することと、
第１の同報通信ページ時間スロットと第２の同報通信ページ時間スロットとをオーバーラップしていない時間スロット上で伝送するために、第１のページングチャネル上の複数の第１の同報通信ページ時間スロットを、第２のページングチャンネル上の複数の第２の同報通信ページ時間スロットに対してずらすこととを含む方法。
【請求項２】
前記第１および第２のページングチャネル上での同報通信ページメッセージの伝送を示す複数の同報通信指標を第３のチャネル上で伝送し、それによって第１および第２のページングチャネルの一方のみの上での同報通信ページメッセージの伝送を示すことをさらに含む請求項１記載の方法。
【請求項３】
前記ずらすことが、
第１のページングチャンネル上で複数の第１の同報通信ページ時間スロットを、および第２のページングチャンネル上で複数の第２の同報通信ページ時間スロットを、異なる同報通信ページサイクルにおいて伝送することをさらに含む請求項１記載の方法。
【請求項４】
第１のページングチャンネル上で複数の第１の同報通信ページ時間スロットを、および第２のページングチャンネル上で複数の第２の同報通信ページ時間スロットを伝送する手段と、
第１の同報通信ページ時間スロットと第２の同報通信ページ時間スロットとをオーバーラップしていない時間スロット上で伝送するために、第１のページングチャネル上の複数の第１の同報通信ページ時間スロットを、第２のページングチャンネル上の複数の第２の同報通信ページ時間スロットに対してずらす手段とを含む装置。
【請求項５】
前記第１および第２のページングチャネル上での同報通信ページメッセージの伝送を示す複数の同報通信指標を第３のチャネル上で伝送し、それによって第１および第２のページングチャネルの一方のみの上での同報通信ページメッセージの伝送を示す手段をさらに含む請求項４記載の装置。
【請求項６】
前記ずらす手段が、
第１のページングチャンネル上で複数の第１の同報通信ページ時間スロットを、および第２のページングチャンネル上で複数の第２の同報通信ページ時間スロットを、異なる同報通信ページサイクルにおいて伝送する手段をさらに含む請求項４記載の装置。
【請求項７】
第１のページングチャンネル上で複数の第１の同報通信ページ時間スロットを、および第２のページングチャンネル上で複数の第２の同報通信ページ時間スロットを伝送する送信機と、
第１の同報通信ページ時間スロットと第２の同報通信ページ時間スロットとをオーバーラップしていない時間スロット上で伝送するために、第１のページングチャネル上の複数の第１の同報通信ページ時間スロットを、第２のページングチャンネル上の複数の第２の同報通信ページ時間スロットに対してずらす制御装置とを含む無線通信システム。
【請求項８】
前記送信機が、前記第１および第２のページングチャネル上での同報通信ページメッセージの伝送を示す複数の同報通信指標を第３のチャネル上で伝送し、それによって第１および第２のページングチャネルの一方のみの上での同報通信ページメッセージの伝送を示す請求項７記載の無線通信システム。
【請求項９】
前記制御装置が、第１および第２の同報通信ページ時間スロットを異なる同報通信ページサイクルにおいて伝送することによって、第１のページングチャンネル上の複数の第１の同報通信ページ時間スロットと、第２のページングチャンネル上の複数の第２の同報通信ページ時間スロットとをずらす請求項７記載の無線通信システム。
【請求項１０】
無線通信システムにおける基地局であって、
第１のページングチャンネル上で複数の第１の同報通信ページ時間スロットを、および第２のページングチャンネル上で複数の第２の同報通信ページ時間スロットを伝送する送信機と、
第１の同報通信ページ時間スロットと第２の同報通信ページ時間スロットとをオーバーラップしていない時間スロット上で伝送するために、第１のページングチャネル上の複数の第１の同報通信ページ時間スロットを、第２のページングチャンネル上の複数の第２の同報通信ページ時間スロットに対してずらす制御装置とを含む基地局。
【請求項１１】
前記送信機が、前記第１および第２のページングチャネル上での同報通信ページメッセージの伝送を示す複数の同報通信指標を第３のチャネル上で伝送し、それによって第１および第２のページングチャネルの一方のみの上での同報通信ページメッセージの伝送を示す請求項１０記載の基地局。
【請求項１２】
前記制御装置が、第１および第２の同報通信ページ時間スロットを異なる同報通信ページサイクルにおいて伝送することによって、第１のページングチャンネル上の複数の第１の同報通信ページ時間スロットを、第２のページングチャンネル上の複数の第２の同報通信ページ時間スロットに対してずらす請求項１０記載の基地局。
【手続補正書】
【提出日】平成17年5月31日(2005.5.31)
【手続補正１】
【補正対象書類名】特許請求の範囲
【補正対象項目名】請求項１３
【補正方法】変更
【補正の内容】
【請求項１３】
１つ以上の変換生成物が、１つ以上のオレフィンを含む、請求項１乃至１２のいずれか１請求項に記載の方法。
【手続補正書】
【提出日】平成17年5月18日(2005.5.18)
【手続補正１】
【補正対象書類名】明細書
【補正対象項目名】００１１
【補正方法】削除
【補正の内容】
【手続補正２】
【補正対象書類名】明細書
【補正対象項目名】００３９
【補正方法】変更
【補正の内容】
【００３９】
本発明の方法の工程（ｂ）を、以下に説明する：
混合物の連続的分離のために、供給溶液Ｆを膜の位置が定められているハウジングを有する膜ユニットＭへ、クロスフロー法で供給する。供給溶液Ｆは膜に流れ、残留物Ｒは除去される。所望により、残留物Ｒの一部が戻される。透過物Ｐは除去される。
【手続補正３】
【補正対象書類名】明細書
【補正対象項目名】００４０
【補正方法】変更
【補正の内容】
【００４０】
バッチ式分離法において、供給溶液Ｆは循環容器に供給される。供給溶液Ｆは、クロスフロー手順で上述の膜ユニットＭに供給される。膜上で、循環容器に戻される残留物、及び除去される透過物Ｐへの分離が起こる。このようにして、供給溶液Ｆの濃縮が起こる。
【手続補正４】
【補正対象書類名】明細書
【補正対象項目名】００４１
【補正方法】変更
【補正の内容】
【００４１】
膜ユニットＭ１の濃縮段階及び次の膜ユニットＭ２のダイアフィルトレーション段階において混合物の分離が起こる。濃縮段階は、上述のように操作される。残留物は水で希釈され、ダイアフィルトレーション段階Ｍ２に供給される。これは上述のように同様に操作される。残留物Ｒ、より高度に濃縮された透過物Ｐ１、及び濃縮程度の小さい透過物Ｐ２への分離が、最終的に得られる。
【手続補正５】
【補正対象書類名】明細書
【補正対象項目名】００４２
【補正方法】変更
【補正の内容】
【００４２】
純粋なダイアフィルトレーションとしての工程（ｂ）の実施がなされる。供給溶液Ｆは、水で希釈した後、膜ユニットＭに供給され、上述のように分離される。
【手続補正６】
【補正対象書類名】明細書
【補正対象項目名】００４３
【補正方法】変更
【補正の内容】
【００４３】
３段階分離法において、３個の膜ユニットＭ１、Ｍ２及びＭ３が設けられており、膜を備えている。膜ユニットの数は所望により増やすことができる。
【手続補正７】
【補正対象書類名】明細書
【補正対象項目名】００４４
【補正方法】変更
【補正の内容】
【００４４】
供給溶液Ｆは、クロスフロー手順で第１の膜ユニットＭ１に供給される。残留物Ｒ１及び透過物Ｐ１への分離が起こる。残留物Ｒ１はその一部は放出され、また一部は供給溶液に戻される。透過物Ｐ１は、クロスフロー手順で第２の膜ユニットＭ２に供給される。残留物Ｒ２及び透過物Ｐ２への分離が起こる。残留物Ｒ２は、供給溶液Ｆに供給される。所望により、残留物Ｒ２の一部は膜ユニットＭ２の供給溶液に戻される。透過物Ｐ２は、クロスフロー手順により第３の膜ユニットＭ３に供給される。分離で得られた残留物Ｒ３は、膜ユニットＭ２の供給部に供給される。所望により、残留物Ｒ３の一部は膜ユニットＭ３の供給溶液に戻される。透過物Ｐ３は放出される。
【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
完全に生分解性の同軸インプラントであって、該インプラントは、送達されるべき活性薬剤を含有するコアおよび速度制御膜を備え、該インプラントは、全ての該活性薬剤が放出されるまで完全に分解しない、インプラント。
【請求項２】
前記活性薬剤が、少なくとも３０日間にわたって放出される、請求項１に記載のインプラント。
【請求項３】
前記インプラントのコアが、該コア内に取り込まれた活性薬剤を有する生分解性ポリマーから形成される、請求項１に記載のインプラント。
【請求項４】
前記膜が、微小多孔性膜である、請求項１に記載のインプラント。
【請求項５】
前記膜が、半透過性膜である、請求項１に記載のインプラント。
【請求項６】
前記コアが、活性薬剤とポリマーとの乾燥ブレンド、その後の押出しによって形成される、請求項１に記載のインプラント。
【請求項７】
前記コアが、二重押出し処理によって形成される、請求項１に記載のインプラント。
【請求項８】
前記コアが、液体である、請求項１に記載のインプラント。
【請求項９】
前記コアが、純粋薬物である、請求項１に記載のインプラント。
【請求項１０】
前記膜またはコアを形成するポリマーが、半結晶性、結晶性または非晶性である、請求項１に記載のインプラント。
【請求項１１】
前記膜を形成するポリマーおよび前記コアを形成するポリマーが、同じポリマーである、請求項１に記載のインプラント。
【請求項１２】
０次の放出動態で活性薬剤を放出する、請求項１に記載のインプラント。
【請求項１３】
前記インプラントが、前記膜中または該膜に隣接して活性薬剤を含有する、請求項１に記載のインプラント。
【請求項１４】
麻酔鎮痛薬またはそのアンタゴニストの送達のための、一体型インプラントまたは同軸インプラントを含む、ポリマー性インプラント。
【請求項１５】
前記鎮痛薬またはアンタゴニストが、サフェンタニール、フェンタニール、ナルトレキソンおよびナロキソンからなる群より選択される、請求項１４に記載のインプラント。
【請求項１６】
前記ポリマーが、生分解性である、請求項１４に記載のインプラント。
【請求項１７】
前記インプラントが、前記鎮痛薬またはアンタゴニストを含有するコア、および速度制御膜を備える同軸インプラントである、請求項１４に記載のインプラント。
【請求項１８】
０次の放出動態で、少なくとも３０日間の期間にわたって、前記鎮痛薬またはアンタゴニストを放出する、請求項１４に記載のインプラント。
【請求項１９】
マトリクス、プロテーゼ、インプラントまたはコーティングから選択されるデバイスに形成される、請求項１または１４に記載のインプラント。
【請求項２０】
前記デバイスが、血管内移植に適切である、請求項１９に記載のインプラント。
【請求項２１】
前記デバイスが、ヘパリン、タキソールおよび再狭窄を処置または予防する際に使用される他の薬物からなる群より選択される活性薬剤を含有する、請求項２０に記載のインプラント。
【請求項２２】
体腔への移植に適切な、請求項１９に記載のインプラント。
【請求項２３】
神経叢に隣接した移植に適切な、請求項１９に記載のインプラント。
【請求項２４】
前記コア組成物が、異なる組成を有する同心層をさらに備える、請求項１または１４に記載のインプラント。
【請求項２５】
前記コアが賦形剤を含有する、請求項１または１４に記載のインプラント。
【請求項２６】
前記速度制御膜が、孔形成剤を含有する、請求項１または１７に記載のインプラント。
【請求項２７】
前記インプラントが、ポリエチレングリコール、ポリヒドロキシ酸、カプロラクトンまたはこれらのコポリマーからなる群より選択されるポリマーを含有する、請求項１または１４に記載のインプラント。
【請求項２８】
前記活性薬剤が、水溶性である、請求項１に記載のインプラント。
【請求項２９】
前記活性薬剤が、タンパク質またはペプチドである、請求項１に記載のインプラント。
【請求項３０】
前記インプラントが、末端シールされている、請求項１または１４に記載のインプラント。
【請求項３１】
前記インプラントが、延伸または焼なましによって、押出し後にさらに処理される、請求項１または１４に記載のインプラント。
【請求項３２】
前記コアが、非ポリマー性の非水溶性液体および活性薬剤を含有する、請求項１に記載のインプラント。
【請求項３３】
液体の薬物含有処方物で、予め形成された膜を充填することによって形成される、請求項１に記載のインプラント。
【請求項３４】
同軸インプラントを作製する方法であって、該方法は、活性薬剤およびポリマーを２回押出して、該同軸インプラントの前記コアを形成する工程を包含する、方法。
【請求項３５】
前記活性薬剤および前記ポリマーが、前記第一の押出し工程の前に乾燥ブレンドされる、請求項３４に記載の方法。